Podtech/llm-jp-corpus-v4-ja_patent huggingface dataset:
(57)【要約】【課題】従来の乾式逆火防止器における問題を解消して、ブラウンガスに適合した乾式逆火防止器を提供する。【解決手段】乾式逆火防止器１００は、ガス流入口が形成されている上部ケース１１０と、流入ガスを分散して流出させるための分散孔及びガス流出口が形成されている下部ケース１２０と、逆流を防止する逆止弁体１３０と、さらに、逆火炎を消火するための消炎素子１４０を有する。【選択図】図１
0003137550.tif 000002
【実用新案登録請求の範囲】
【請求項１】
ガス流入口が形成されている上部ケースと、流入ガスを分散して流出させるための分散孔及びガス流出口が形成されている下部ケースと、逆流を防止する逆止弁体と、逆火炎を消火するための消炎素子とを有する乾式逆火防止器。
【請求項２】
逆止弁支持台と逆止弁バネと逆止弁からなり、逆止弁支持台の上端中央部と逆止弁の下端中央部にはバネ装着ホルダーがそれぞれ設けられており、逆止弁には逆流を防止するためのパッキング装着用の装着溝が形成されており、さらに、逆止弁の上部にはガス流入を円滑にしながら逆止弁が安定的に支持されるように三角柱形状の逆止弁支持柱が設けられている逆止弁体を具備する請求項１記載の乾式逆火防止器。
【考案の詳細な説明】
【技術分野】
【０００１】本考案は、可燃性ガス供給装置の逆火防止器に関するもので、特に水を電気分解し、水素対酸素の化学当量比が２対１で構成されたブラウンガスの乾式逆火防止器に関するものである。
【背景技術】
【０００２】水を電気分解してガスを発生させるには、水素と酸素を分離して発生させる方法と、水素と酸素を混合状態で発生させる方法がある。本考案は、後者の水素と酸素が混合状態であるブラウンガスの乾式逆火防止器に関するものである。【０００３】ところが、ブラウンガスは、他の可燃性ガスより逆火速度が速く、従来の乾式逆火防止器では逆火炎を阻止するのは非常に難しいのが現状である。また、誤って使用して逆火炎が発生した場合は逆火炎はブラウンガスの供給装置まで達するおそれもあり、危険である。
【考案の開示】
【考案が解決しようとする課題】
【０００４】本考案は、従来の乾式逆火防止器における問題を解消して、ブラウンガスに適合した乾式逆火防止器を提供することを目的とする。
【課題を解決するための手段】
【０００５】上記の課題を解決するための本考案の全体的な構成は、ガス流入口が形成されている上部ケースと、流入ガスを分散して流出させるための分散孔及びガス流出口が形成されている下部ケースと、逆流を防止する逆止弁体と、さらに、逆火炎を消火するための消炎素子を有することを特徴とする。
【考案の効果】
【０００６】本考案の乾式逆火防止器は、逆火が生じると、逆火炎はガス流出口を経て分散孔によって分散流入され、消炎素子を透過しながら消えることになる。【０００７】また、圧力が低くなった状態での逆止弁は逆止弁バネの作動によって閉弁される二重の安全が図れる。
【考案を実施するための最良の形態】
【０００８】以下、本考案の実施の形態を添付した図面に示す実施例に基づいて説明すれば、下記のとおりである。
【実施例】
【０００９】図１は本考案による乾式逆火防止器の分解斜視図であり、図２は同じく乾式逆火防止器の縦断面図を示す。【００１０】図示したとおり、本考案の乾式逆火防止器１００は、円筒状であり、ガス流入口１１１が形成されている上部ケース１１０と、流入ガスを分散して流出させるための分散孔１２４ａ、１２４ｂ及びガス流出口１２１が形成されている下部ケース１２０と、逆流を防止する逆止弁体１３０と、逆火炎を消火するための消炎素子１４０からなる。【００１１】逆止弁体１３０は、逆止弁支持台１３１、逆止弁バネ１３２、逆止弁１３３からなり、逆止弁支持台１３１の上端中央部と逆止弁１３３の下端中央部にはバネ装着ホルダー１３１ａ、１３３ａがそれぞれ設けられている。【００１２】また、逆止弁１３３には逆流を防止するためのパッキング１３３ｂ装着用の装着溝１３３ｃが形成されている。【００１３】さらに、逆止弁１３３の上部にはガス流入を円滑にしながら逆止弁１３３が安定的に支持されるように三角柱形状の逆止弁支持柱１３３ｄが設けられている。【００１４】多孔質からなる消炎素子１４０は、上部ケース１１０の内側奥端壁に気密維持用のパッキング１４１ａを介し、下部ケース１２０のパッキング装着ホルダー１２５に取り付けられた同じく気密維持用のパッキング１４１ｂを介して組み込まれる。【００１５】下部ケース１２０には、上部ケース１１０との結合する際、気密性を維持するための“Ｏ”リング１２２装着用の装着溝１２３が形成されており、流入ガスを分散して流出させるための分散孔１２４ａ、１２４ｂがガス流出口１２１と連通されている。【００１６】図３は、図２のＡ部の拡大断面図であり、図４は図２の順流時での拡大断面図である。また、図５は図２のＢ部の順流時での拡大縦断面図である。【００１７】これらの図に示すように、ガス流入口１１１から流入した順流ガスはその圧力によって逆止弁１３３を開弁し、多孔質からなる消炎素子１４０を透過して分散孔１２４ａ、１２４ｂに流入し、ガス流出口１２１を経て流出される。【００１８】逆に、逆火が生じると、逆火炎はガス流出口１２１を経て分散孔１２４ａ、１２４ｂによって分散流入され、消炎素子１４０を透過しながら消えることになり、圧力が低くなった状態での逆止弁１３３は逆止弁バネ１３２の作動によって閉弁される。【００１９】ここに開示された実施例は、当業者の理解を助けるためのもので、本考案の技術的思想がこの実施例の記載によって限定されるものではなく、本考案の技術的思想の範囲内で多様な変形が可能であるのは勿論である。
【産業上の利用可能性】
【００２０】本考案の乾式逆火防止器は、ブラウンガスだけでなく、水素ガスをはじめ、各種の可燃性ガス供給装置にも使用することができる。
【図面の簡単な説明】
【００２１】
【図１】本考案による乾式逆火防止器の分解斜視図を示す。
【図２】同じく乾式逆火防止器の縦断面図を示す。
【図３】図２のＡ部の拡大断面図である。
【図４】図２の順流時での拡大断面図である。
【図５】図２のＢ部の順流時での拡大縦断面図である。
【符号の説明】
【００２２】１１０：上部ケース  １１１：ガス流入口
１２０：下部ケース  １２１：ガス流出口
１２２：“Ｏ”リング  １２３：“Ｏ”リング装着用の装着溝
１２４ａ、１２４ｂ：分散孔  １２５：パッキング装着ホルダー
１３０：逆止弁体  １３１：逆止弁支持台
１３１ａ、１３３ａ：バネ装着ホルダー  １３２：逆止弁バネ
１３３：逆止弁  １３３ｂ：逆流防止用のパッキング
１３３ｃ：パッキング装着用の装着溝  １３３ｄ：逆止弁支持柱
１４０：消炎素子  １４１ａ、１４１ｂ：気密維持用のパッキング
【図１】
0003137550.tif 000003
【図２】
0003137550.tif 000004
【図３】
0003137550.tif 000005
【図４】
0003137550.tif 000006
【図５】
0003137550.tif 000007
(57)【要約】【課題】診断用Ｘ線画像撮影の際の位置決めを容易にした上、患者の体が散乱Ｘ線除去用グリッドに触れることによる、不快感や苦痛を減じることのできる散乱Ｘ線除去用グリッドを提供する。【解決手段】散乱Ｘ線除去用グリッドにフレーム加工を施すことにより、Ｘ線カセッテを固定して撮影の際の位置決めを容易にする。更にフレームやグリッド本体が患者の体に触れることによる不快感や苦痛を減じる為に、散乱Ｘ線除去用グリッド本体表面部のフレーム内にクッション材を用い、その上から耐水性、耐薬品性素材のカバー材を装着する。【選択図】図１
0003137548.tif 000002
【実用新案登録請求の範囲】
【請求項１】
フレーム加工を施すことにより、Ｘ線用カセッテを挿入し固定した状態で、ベッド上、車椅子上の患者の撮影が可能な散乱Ｘ線除去用グリッド。
【請求項２】
Ｘ線用カセッテを固定するフレームと散乱Ｘ線除去用グリッド本体との段差を、クッション材を貼り付けることで取除き、表面に耐水性、耐薬品性の素材のカバー材を装着した請求項１記載の散乱Ｘ線除去用グリッド。
【考案の詳細な説明】
【技術分野】
【０００１】本考案は、散乱Ｘ線除去用グリッドに関し、ベッド上、車椅子上等で患者の快適性を損なうことなく診断用Ｘ線画像撮影が可能で、撮影後の消毒が容易な散乱Ｘ線除去用グリッドに関する。
【背景技術】
【０００２】従来、ＪＩＳ  Ｚ４９１０−２０００に準ずる散乱Ｘ線除去用グリッドで、ベッド上、車椅子上で診断用Ｘ線画像撮影を行っていた。
【考案の開示】
【考案が解決しようとする課題】
【０００３】上述の散乱Ｘ線除去用グリッドを用いて診断用Ｘ線画像撮影を行う場合、Ｘ線用カセッテ上で散乱Ｘ線除去用グリッドがずれてしまうために位置決めが困難であり、再撮影が必要になる場合がある。【０００４】フレームを装着することでＸ線用カセッテと散乱Ｘ線除去用グリッドを一体化させ、位置決めの際のずれを減じることは可能であるが、フレームが体にあたり患者に不快感や苦痛を与える。また、フレームと散乱Ｘ線除去用グリッドとの間に血液等の汚れや薬液が入ってしまい、消毒が困難である。【０００５】本考案は、上述の不都合を解消しようとするもので、位置決めを容易にした上、患者の体が散乱Ｘ線除去用グリッドに触れることによる、不快感や苦痛を減じ快適性を維持することが可能で、撮影後の消毒が容易な散乱Ｘ線除去用グリッドを提供しようとするものである。
【課題を解決するための手段】
【０００６】本願の請求項１に係る考案は、散乱Ｘ線除去用グリッド周辺部にフレーム加工を施すことにより、Ｘ線用カセッテを固定して診断用Ｘ線画像撮影の際の位置決めを容易にする。請求項２に係る考案では、請求項１に係る考案に加えて、フレームが患者の体に触れることによる不快感や苦痛を減じる為に、散乱Ｘ線除去用グリッド本体表面部のフレーム内にクッション材を張付け、その上から低Ｘ線吸収であり耐水性・耐薬品性素材のカバー材を装着する。
【考案の効果】
【０００７】診断用Ｘ線画像撮影の際に特別な器具を用いることなく、本考案の装置を用いることで、散乱Ｘ線除去用グリッドとＸ線用カセッテのずれによる位置決めの困難さを排除し、再撮影を防止することが可能である。フレームと散乱Ｘ線除去用グリッドが直接、患者の体に触れないようクッション材やカバー材で散乱Ｘ線除去用グリッドの表面部を覆うことにより、患者の快適性を維持することが可能である。また、耐水、耐薬品素材を装備することにより、フレームと散乱Ｘ線除去用グリッドとの間に血液等の汚れや薬液が入らず、使用後の消毒を容易にすることが可能である。
【考案を実施するための最良の形態】
【０００８】本考案の実施形態を、図面を用いて詳細に説明する。図１本考案の外観斜視図であり、図２はその断面図である。Ｘ線用カセッテ５に本考案を被せる。散乱Ｘ線除去用グリッド４の周辺部に装備されたキャップ状のフレーム３がＸ線用カセッテ５を保持することが可能であり、撮影時にずれが生じない。【０００９】フレーム３と散乱Ｘ線除去用グリッド４との段差を取り除く、クッション材２およびカバー材１が、患者の体に直接、散乱Ｘ線除去用グリッド４及び周辺部のフレーム３が触れることを防ぐので快適性が損なわれることが無い。また、撮影後には耐水性・耐薬品性のカバーにより覆われた表面部を容易に消毒することが可能である。【００１０】以上本考案の実施例を示したが、本考案とＸ線用カセッテの固定方法はキャップ状のフレーム３のみに限定されるものではない。例えば、必要に応じフレーム３の内部にバネを取り付けることにより、本考案とＸ線用カセッテの密着度をより向上させることができる。
【図面の簡単な説明】
【図１】カバー付き散乱Ｘ線除去用グリッドの外観斜視図である。
【図２】カバー付き散乱Ｘ線除去用グリッドの断面図である。
【符号の説明】
１カバー材
２クッション材
３フレーム
４散乱Ｘ線除去用グリッド本体
５カセッテ
【図１】
0003137548.tif 000003
【図２】
0003137548.tif 000004
(57)【要約】【課題】ゴルフスイングにおいて右手の把持力を矯正し、左手リードでの綺麗で正確なスイングプレーンを習得するために考案されたグリップ補助具を提供する。【解決手段】ゴルフクラブのグリップ部分にワンタッチ着脱自在で、横断面は馬蹄形のようで長手方向にはスリットが入った事を特徴とするゴルフ練習用打法矯正具。【選択図】図１
0003137545.tif 000002
【実用新案登録請求の範囲】
【請求項１】
ゴルフクラブのグリップ部分にワンタッチで着脱自在で、横断面は馬蹄形のようで長手方向にはスリットが入った事を特徴とするゴルフ練習用打法矯正具。
【請求項２】
前記馬蹄形の内径がゴルフシャフトのグリップ部分の外径に沿っており、グリップ上でスムーズな回転が得られる事を特徴とし請求項１に記載のゴルフ練習用打法矯正具。
【考案の詳細な説明】
【技術分野】
【０００１】  本考案はゴルフ練習用打法矯正具に関する。
【背景技術】
【０００２】  本考案物に類似した物があるがゴルフシャフトのグリップ部分の外径に沿った内径を有していない円筒形にスリットが入った物である。
【特許文献１】  実開昭  ６２−４８３７４
【考案の開示】
【考案が解決しようとする課題】
【０００３】  前項に記載の考案物はゴルフシャフトのグリップ部分の外径に沿った内径を有していないため、把持具の片方には隙間が有るがもう一方は止まった状態になり揺動してグリップ部分のゴムを傷める等の欠点があった。
【課題を解決するための手段】
【０００４】  本考案物はゴルフシャフトのグリップ部分の外径に沿ってグリップ補助具にも長手方向にテーパーが付いており滑りやすくするために馬蹄形のグリップ補助具内壁面にコーテイング加工等を施し、スムーズな回転を得られる事で前項の課題を解決する。
【考案を実施するための最良の形態】
【０００５】  図３において、（ロ）は本考案に係るグリップ補助具で、その正面にはスリット部分が設けられている。ゴルフクラブのシャフトＢの中央にグリップ補助具（ロ）を正面スリット部分（二）から挿入し、グリップ  図４に示すようにＡまでスライドさせて  図２のようにセット完了である。【０００６】  図５において正面スリット部分（二）を打球の進行方向に向けて、図６における右手人差し指２の付け根または指の腹でグリップ補助具（ロ）を押すような感じで打つ事で右手親指１、右手人差し指２、右手中指３に力を入れない訓練ができるのである。【０００７】  図７はゴルフスイングのテイクバック（ＮＯ．１）からフォロースルー（ＮＯ．６）までの一連の動作を示す。しかしながら一連の動作が悪いために正確なショットが打てない事が多いので適正なフォームを作るための第一段階として体の力みとグリップの力加減は欠かせない。【０００８】  図１において（ロ）は本考案のグリップ補助臭を使用し、右打者の右手指の力をセーブして練習を重ねることにより左手リードでの体の回転（図７におけるＮＯ．１〜ＮＯ．６）でスイングする事ができ、正確なショットを習得できるのである。【０００９】  前項に記載のように、左手リードでの体の回転でテイクバック（ＮＯ・１）からフォロースルー（ＮＯ．６）までの一連の動作を７番・８番・９番位のクラブを使用し、５０ヤード〜１００ヤード位の距離を目安にして体の回転で軽く打つ事（ハーフショット）によって綺麗な軌道を会得しスムーズで正確な打球が打てるようになるのである。
【考案の効果】
【００１０】  本考案物はゴルフスイングにおいてミスショットを極力少なくするために考案されたグリップ補助具であってゴルフのスイング中のリズムと右手の把持力を調節してスイングフォームの調節またはフォームの習得を短期間で訓練できるゴルフ練習用打法矯正具である。
【００１１】  本考案物はスムーズに回る事を特徴としており、右打者の右手親指・人差し指・中指で把持されたグリップ補助具が回る物を回らないようにする事で右手の力を殺すまたは調節する事ができ、左手リードでの綺麗なスイングフォームを習得する事ができるのである。
【００１２】  前項に記載のように右手の力を調節する練習を重ねる事によって、力まずに綺麗なスイングフォームを習得できフルショットした時でも正確で力強い打球が体の回転で打てるようになり、結果ヘッドスピードも上がり飛距離も出るようになるのである。
【００１３】  さらに本考案物は小型・軽量・ワンタッチ脱着式なのでゴルフバックの中やズボンのポケット等に常時携帯して、練習時だけでなくゴルフコース本番スタート前の素振りの時に使用する事によって右手の感覚を思い出し左手リードのナイスショットに繋がるのである。
【図面の簡単な説明】
【００１４】
【図１】本考案のグリップ補助具の正面・背面・断面とゴルフグリップとゴルフシャフトの正面図である。
【図２】本考案のグリップ補助具をグリップにセット完了した正面図である。
【図３】ゴルフシャフトに本考案のグリップ補助具を挿入する時の説明図である。
【図４】グリップ補助具をゴルフグリップに装着した時の図である。
【図５】グリップ補助具をゴルフグリップにし、正面スリット部分側から見た図である。
【図６】ショット直前の把持の状態を示す図である。
【図７】練習方法の一例である。
【符号の説明】
【００１５】（イ）−  ゴルフクラブ
（ロ）−  グリップ補助具の背面図
（ハ）−  断面図
（二）−  グリップ補助具の正面スリット部分
Ａ  −  グリップ
Ｂ  −  シャフト
１  −（右手）親指
２  −（右手）人差し指
３  −（右手）中指
４  −  親指（左手）
【図１】
0003137545.tif 000003
【図２】
0003137545.tif 000004
【図３】
0003137545.tif 000005
【図４】
0003137545.tif 000006
【図５】
0003137545.tif 000007
【図６】
0003137545.tif 000008
【図７】
0003137545.tif 000009
(57)【要約】      （修正有）【課題】水の底を狙う釣りにおいて釣針が根にかかり魚を誘う動作がしづらい不具合の解消。【解決手段】Ｖ字構造のアーム１の上部に釣針２を角度を持って配置し、アームと釣針の間に弾性を持たせたワイヤ５をいれる事でルアー自体を動かさず魚を誘う事ができ、ルアー自体の移動の際にも進行方向に対しＶ字構造である為に障害物に引っかからずによけることができ、乗り越える事が可能になりこの課題を解決する。【選択図】図１
0003137542.tif 000002
【実用新案登録請求の範囲】
【請求項１】
２点の錘付アームと釣り針を一定の角度を持ったＶ字構造とする事で釣りの際に根掛かりを防ぐ構造を特徴とする釣り具
【請求項２】
錘付アームと釣り針の間にワイヤを入れる事で一定の弾性を持たせルアー自体の本体移動を行わずに魚を誘う事が可能にする特徴を持った釣り具
【考案の詳細な説明】
【技術分野】
【０００１】  本考案は釣りに使用するルアーに関する。
【背景技術】
【０００２】  従来の水の底に用いるタイプのルアーでは、ルアー自体の移動と魚を誘う動作が同時に行われるものが多く、根掛かりの原因となっていた。
【考案の開示】
【考案が解決しようとする課題】
【０００３】  しかしこれでは、釣りの効率も悪く水中で長く魚を誘う事ができず、根に掛かってばかりで魚のいる場所を逃して不便である。
【課題を解決する為の手段】
【０００４】  そこでアーム部分（１）をＶ字構造にし、更にアームＶ字面に対し垂直方向にＶ字に釣針（２）を配置する事で根掛かりが低減される。（図１）
【０００５】  よって本考案により本体先端部（３）が障害物を分け釣針に掛からなくなった。また、それ以上の障害物密集地ではアームの跳ね上げ部（４）により本体が障害物の上に乗り上げる事でより魚を誘う事ができた。
【０００６】  また、アーム部と釣針の間にワイヤ（５）を入れる事で障害物の上などの任意のポイントでルアー本体を動かす事なく魚を誘う動作をする事ができた。
【考案を解決する為の最良の形態】
【０００７】  本考案に係る２点錘アームルアーは（図１）に示すようにアーム２本がＶ字でまたアームＶ字面に対し垂直に釣針が備わっている。そして、アームと釣針の間をワイヤが適度な弾性を持ちつつアームと釣針の角度を保持する事によって成り立っている。またアーム部を曲げてハの字（６）にし先端に錘（７）をつける事で直進安定性を増している。
【０００８】  素材に関しては海水、淡水に関わらず耐食性の高いステンレスが望ましい。
【図面の簡単な説明】
【０００９】
【図１】  本考案に係る２点錘アームルアーの側面図である。
【図２】  本考案に係る２点錘アームルアーの上面図である。
【符号の説明】
【００１０】  １  アーム部分
２  釣針
３  本体先端部
４  アーム跳ね上げ部
５  ワイヤ
６  ハの字曲げ部分
７  錘
【図１】
0003137542.tif 000003
【図２】
0003137542.tif 000004
(57)【要約】      （修正有）【課題】そろばんの玉が落下したり、みだりに移動したりすることを防止する。【解決手段】そろばん本体の底板５に接して弾性体11を設け、ほぼ楕円体状の玉10を軸9に貫挿し、玉の断面における曲線状部分の全部又は一部を弾性体の内部に向けて所定深さ(ｄ)だけ進入させた位置関係とし、玉と弾性体との接触面間に摩擦力を発生させることにより玉が落下したりみだりに移動するのを防ぐ。【選択図】図２
0003137438.tif 000002
【実用新案登録請求の範囲】
【請求項１】
そろばん本体(１)の底板(５)に接して弾性体(11)を設け、ほぼ楕円体状の玉(10)を軸(9)に貫挿し、玉(10)の断面における曲線状部分の全部又は一部を弾性体(11)の内部に向けて所定深さ(ｄ)だけ進入させた位置関係とし、玉(10)と弾性体(11)との接触面間に摩擦力を発生させることにより玉(10)が落下するのを防ぐことを特徴とするそろばん。
【請求項２】
そろばん本体(１)の底板(５)に接して弾性体(11)を設け、ほぼ楕円体状の玉(10)を軸(９)に貫挿し、玉(10)の断面における曲線状部分の全部又は一部を弾性体(11)の内部に向けて所定深さ(ｄ)だけ進入させた位置関係とし、玉(10)と弾性体(11)との接触面間に摩擦力を発生させることにより玉(10)がみだりに移動するのを防ぐことを特徴とするそろばん。
【請求項３】
そろばん本体(１)の底板(５)に接して弾性体(11)を設け、ほぼ菱形状の玉(10)を軸(9)に貫挿し、玉(10)の断面における外周部分の一部を弾性体(11)の内部に向けて所定深さ(ｄ)だけ進入させた位置関係とし、玉(10)と弾性体(11)との接触面間に摩擦力を発生させることにより玉(10)が落下するのを防ぐことを特徴とするそろばん。
【請求項４】
そろばん本体(１)の底板(５)に接して弾性体(11)を設け、ほぼ菱形状の玉(10)を軸(９)に貫挿し、玉(10)の断面における外周部分の一部を弾性体(11)の内部に向けて所定深さ(ｄ)だけ進入させた位置関係とし、玉(10)と弾性体(11)との接触面間に摩擦力を発生させることにより玉(10)がみだりに移動するのを防ぐことを特徴とするそろばん。
【考案の詳細な説明】
【技術分野】
【０００１】
本考案は、多目的に使用することができるそろばんに関するものである。
【背景技術】
【０００２】
いわゆる四つ玉そろばんは1940年ごろから普及したものであるが、それ以来さして大きい変化や改良は見られなかったのが実情である。
【考案の開示】
【考案が解決しようとする課題】
【０００３】
本考案は、廉価かつ実用的な計算器であるそろばんの機能に、さらに講習会や学校における学習用や教授用としても利用可能であり、老人等の手の不自由な方でも利用可能な機能を付加したものである。
【課題を解決するための手段】
【０００４】
本考案に係るそろばんは、そろばん本体の底板に接して弾性体を設け、ほぼ楕円体状の玉を軸に貫挿し、玉の断面における曲線状部分の全部又は一部を弾性体の内部に向けて所定深さだけ進入させた位置関係とし、玉と弾性体との接触面間に摩擦力を発生させることにより玉が落下したりみだりに移動するのを防ぐことを特徴とする。
【考案の効果】
【０００５】
本考案の最も重要な特徴は、底板５に柔軟な弾性体11、例えばスポンジ、を設けた点にある。図２は玉10と弾性体11との関係を模式的に示す説明図であって、玉１０の右半分の一部が所定深さｄだけ弾性体１１の内部へ押し込まれている状態を示す。そうすると、玉10と弾性体11とが接触している面の間に摩擦力が発生しているから、そろばんを垂直の姿勢で使用する場合、接触面のうちのＳの部分に発生している摩擦力が玉１０の重量を支持する結果、玉10は落下することなく原位置に保持される。
【実施例】
【０００６】
本考案を実施するための最良の形態としての一実施例を以下添付図面に従って説明する。
そろばん本体１は上板２、下板３、側板４、４、底板５から成る。側板４、４の間に上板２に平行に梁６が設けられ、上板２と梁６との間に上部区画７が形成される。梁６と下板３との間には下部区画８が形成される。上板２と下板３との間には側板４、４に平行に多数の軸９、９…が立設され、軸９の上端は上板２に取り付けられ、軸９は梁６を貫通して、その下端は下板３に取り付けられている。上部区画７内の軸９には、１個の玉10が貫挿され、下部区画８内の軸９には４個の玉10が貫挿されている。
【０００７】
普通のそろばんの玉は断面がほぼ菱形状であるが、本考案のそろばんの玉はほぼ楕円体状であり、これも本考案の特徴の一つである。ほぼ楕円体状であるから、その断面はほぼ楕円状を呈し、円弧状であってもよい。上下に隣接する玉相互間の座りを良くするために楕円体形状の上底部分と下底部分を切除するのが望ましい。
底板５に柔軟な弾性体11、例えばスポンジ、が設けてある。図２は玉10と弾性体11との関係を模式的に示す説明図であって、玉10の右半分の一部が所定深さｄだけ弾性体11の内部へ押し込まれている状態を示す。そうすると、玉１０と弾性体１１とが接触している面の間に摩擦力が発生しているから、そろばんを垂直の姿勢で使用する場合、接触面のうちのＳの部分に発生している摩擦力が玉10の重量を支持する結果、玉10は落下することなく原位置に保持される。玉10が弾性体11の内部に押し込まれる分量は、図２の如く曲線状部分の一部（深さｄ）の場合もあるし、曲線状部分の全部の場合もあり得る。このように、そろばんを垂直の姿勢で使用する場合に、何らかの付加的構造や付加的な手間を要せずして、玉10を任意の位置に保持することができる。
【０００８】
そろばんを通常の水平位置で使用する場合において、計算が進行してそれぞれの玉が所定の位置に置かれているときに、そろばん本体に不慮の外力が加わっても、そろばんの玉は弾性体11によって、常時所定位置に保持されているから、玉の位置が乱れることがない。この場合を規定したのが、請求項２である。
【０００９】
断面がほぼ菱形状である普通のそろばんの玉を用いた場合でも、底板５に柔軟な弾性体11を設けることにより請求項１及び請求項２と同様の効果が得られる。しかしながら、断面がほぼ菱形状である普通のそろばんの玉を用いた場合は、弾性体１１とそろばんの玉の間に発生している摩擦力を大きくする必要があり、ほぼ楕円体状そろばんの玉を用いた場合に比べて、そろばんの玉の動きはスムーズでなくなる。
【図面の簡単な説明】
【００１０】
【図１】本考案のそろばんの実施例を示す正面図である。
【図２】本考案のそろばんの一部切欠断面図である。
【図３】本考案の玉が菱形状の場合のそろばんの一部切欠断面図である。
【符号の説明】
【００１１】
１  そろばん本体
５  底板
９  軸
10  玉
11  弾性体
ｄ  所定深さ
【図１】
0003137438.tif 000003
【図２】
0003137438.tif 000004
【図３】
0003137438.tif 000005
(57)【要約】      （修正有）【課題】個人用や赤ん坊用の少量の食品調理に特化した取扱い易い調理器を提供する。【解決手段】すり鉢形状に成る本器体１の上面部周囲に係止部６を設け、この係止部に，適当広さの開口部８をその周縁に段部９を設けて成る介装部材７を載置し、この介装部材の開口部段部に各種調理具材を載置するように成るもので、調理具材のうち、中央ドーム形に成る絞り取り板１４は上下逆方向に転じて使用する。【選択図】図１
0003137443.tif 000002
【実用新案登録請求の範囲】
【請求項１】
すり鉢形状に成る本器体の上面部周囲に係止部を設け、この係止部に，適当広さの開口部をその周縁に段部を設けて成る介装部材を載置し、この介装部材の開口部段部に各種調理具材を載置するように成ることを特徴とする調理器。
【請求項２】
介装部材の一部に通孔を設けて成る請求項１に記載した調理器。
【請求項３】
調理具材のうち、中央ドーム形に成る絞り取り板を上下逆方向に転用する請求項１に記載した調理器。
【考案の詳細な説明】
【技術分野】
【０００１】
本考案は、一般家庭で使用する取換え式の調理器に関するものである。
【背景技術】
【０００２】
従来使用されている調理器の中には、個人用や赤ん坊用の少量の食品調理のために使用する調理セットは存するが、嵩ばり出たりして取扱いにくい調理器であった。
【０００３】
【特許文献１】特開２００７−２０９９１号公報
【特許文献２】特許第３９０７０１９号公報
【特許文献３】実公昭５８−１６３２７号公報
【特許文献４】実開平２−５１０９７号公報
【考案の開示】
【考案が解決しようとする課題】
【０００４】
そこで、本考案はこのような欠点を除去し、少量の食品調理に特化した取扱い易い調理器を提供することを目的とする。
【課題を解決するための手段】
【０００５】
本考案は、すり鉢形状に成る本器体の上面部周囲に係止部を設け、この係止部に，適当広さの開口部をその周縁に段部を設けて成る介装部材を載置し、この介装部材の開口部段部に各種調理具材を載置するように成るものである。
【０００６】
また、調理具材のうち、中央ドーム形に成る絞り取り板は上下逆方向に転じて使用するものである。
【考案の効果】
【０００７】
本考案の調理器の特徴は、調理する対象に合わせて比較的小型に成る調理具材を用いて比較的少量の調理作業を行うことにあり、その取扱いは簡単かつ迅速にでき、利便性が高いものとなっている。
【０００８】
本調理器は、特に個人用や赤ん坊用に向く調理器である。
【０００９】
調理器全体はコンパクトにまとまり収納性がよく、本器体と蓋体とは一体性を有し、その内部に各種の取換え調理具材を収納できるようにしている。
【考案を実施するための最良の形態】
【００１０】
本考案の調理器にあっては、各種の小型調理具材を取換え使用するときは、本器体の開口部段部に載置する介装部材を介在せしめて行うものである。
【実施例】
【００１１】
１は本器体で、この本器体の底面部２はすり鉢形状に成り、この底面部では大根，リンゴ，芋類などの野菜や果実のすりつぶしを行う。
【００１２】
３は前記本器体１の外底部に装着する柔軟性のある滑止め材で、これは着脱し得るように成り、洗浄時には本器体から離脱しておく。
【００１３】
４は前記本器体１の一側部に設けた柄部で、この柄部には柔軟性のある摘み５を着脱し得るように装着し、洗浄時にはこれを本器体から離脱しておく。
【００１４】
６は前記本器体１の上面部周囲に設けた係止部で、この係止部を介して本器体上面部に介装部材７を着脱自在に載置するが、この介装部材には中央部に適当広さの開口部８を内周縁に段部９を形成して設ける。
【００１５】
１０，１０は前記介装部材７の前後両面部１１，１１に設けた通孔で、この通孔は前記開口部８に配置する前記介装部材７の着脱のための指掛け部となる。
【００１６】
前記介装部材７の開口部８に載置する比較的小型の調理具材としては、メッシュの異なる用途違いの複数種類の網板１２，１３や、レモン絞り兼黄身取りのための絞り取り板１４や、おろし板１７や、薬味おろし板１８など、同一寸法の任意の調理具材を用意する。
【００１７】
前記絞り取り板１４は、この周囲水平部１５に多数の通口１５’・・を設け、ドーム形の中央部１６には周囲に多数の長孔１６’・・を設けている。
【００１８】
この絞り取り板１４は、レモン等を絞るときには、図２（ｂ）に示したようにドーム形中央部１６を上向き状態にして使用し、生卵の黄身と白身とを分離するときには、図２（ａ）に示したように反対の下向き状態で使用する。これによって白身は、逆ドーム形中央部１６の長孔１６’・・から本器体１内に流れ落ち、黄身だけが逆ドーム形中央部１６の内部に残る。
【００１９】
１９はねぎカッター・スライサー板である。
【００２０】
２０は大根等の千切り・つま切り板である。
【００２１】
２１・・・は前記おろし板１７，薬味おろし板１８、ねぎカッター・スライサー板１９及び大根等千切り・つま切り板２０の各一部に設けた指掛け孔である。
【００２２】
２２は各種野菜類の押潰しと抑止を兼用する安全ホルダーで、これには摘み２３を設けている。
【００２３】
以上の各種調理具材は、前記介装部材７の開口部８周縁の段部９上に載置するようになる。
【００２４】
２４は前記本器体１及び介装部材７の上方部に被嵌する蓋体で、この蓋体の側面一部には切欠部２５を設け、この切欠部は前記本器体１の柄部４に係合するように成る。
【図面の簡単な説明】
【００２５】
【図１】使用する各調理具材の斜視図
【図２】絞り取り板を示し、（ａ）は黄身取り時，(ｂ)はレモン絞り時の正面図、(ｃ)は前記(ａ)の平面図
【図３】蓋体の斜視図
【符号の説明】
【００２６】
１                      本器体                        
３                      滑止め材
４                      柄部
５                      摘み
６                      係止部                    
７                      介装部材
８                      開口部
９                      段部
１０，１０              通孔
１２，１３              網板
１４                    絞り取り板
１５’・・              通口
１６’・・              長孔
１７                    おろし板
１８                    薬味おろし板
１９                    ねぎカッター・スライサー板
２０                    大根等の千切り・つま切り板
２１・・・              指掛け孔
２２                    安全ホルダー
【図１】
0003137443.tif 000003
【図２】
0003137443.tif 000004
【図３】
0003137443.tif 000005
(57)【要約】      （修正有）【課題】側面と底板とを組み立てる食品用容器において、側面と底板とをより強度を持たせて接合することのできる食品用容器を提供する。【解決手段】素材を折り畳み、側面（２）とツバ（３）とを一体に形成した矩形状の容器本体（１）において、該ツバ（３）上に載置する底板（４）を設けるに当たり、内側側面（２）の下端部（α）とツバ（３）との間に、矩形の底板（４）を嵌着させる溝（Ｘ）を形成したことを特徴とする。【選択図】図３
0003137420.tif 000002
【実用新案登録請求の範囲】
【請求項１】
板材を折り畳み、側面（２）とツバ（３）とを一体に形成した矩形状の容器本体（１）において、  該ツバ（３）上に載置する底板（４）を設けるに当たり、内側側面（２）の下端部（α）とツバ（３）との間に、底板（４）を嵌着させる溝（Ｘ）を形成したことを特徴とする食品用容器。
【請求項２】
底板（４）において、該底板（４）の四周を、それぞれ、中央部がやや膨出したアール状（α）に形成したことを特徴とする請求項１記載の食品用容器。
【考案の詳細な説明】
【技術分野】
【０００１】
この考案は、食品用容器に関するものである。
【背景技術】
【０００２】
従来、食品用容器は、すしや弁当を入れる日本古来からの折り箱を始めとして、惣菜を入れたり、菓子やケーキを入れる箱など種々存在するが、これらは、使い捨ての紙製が多く、これらの容器は種々の工夫がされている。
【０００３】
そして、板紙製の組み立て容器は、末端のユーザーでは、高度な容器ほど組み立てに苦労しているのが実状であった。
【０００４】
また、食品用容器で、配送上、嵩張らないように工夫したり、廃棄する際に簡単に捨てられるよう、側面部と底板とを別個に作成し、使用時にはワンタッチで組み立て、廃棄時には側面部から底板を外し、ゴミお減量化にも貢献出来るよう構成したものがある。
【０００５】
しかし、この側面部と底板とを別個に作成した容器は、底板が簡単に抜けてしまうという欠点もあった。
【考案の開示】
【考案が解決しようとする課題】
【０００６】
そこで、この考案は、側面と底板とを組み立てる食品用容器において、側面と底板とをより強度を持たせて接合することのできる食品用容器を開発し、提供することにある。
【課題を解決するための手段】
【０００７】
この考案による課題を解決するための手段としては、容器本体と底板とを堅牢に固定しる手段を形成した食品容器本体と形成するものである。
【考案の効果】
【０００８】
この考案によると、底板（４）は、食品容器本体の内側面（２）の下端部（２ａ）と、ツバ（３）の上端との間に、溝（Ｘ）を形成し、該溝部（Ｘ）に底板（４）の周囲を嵌着するため、本体と底板とが堅牢に固定される極めてすぐれた効果を奏するものである。  
【０００９】
さらに、底板（４）の四周は、それぞれ中央が膨出したアール状に形成したため、溝（Ｘ）に膨出状に嵌めやすく、また、内側面に形成した溝（Ｘ）の長さ寸法より底板（４）の寸法を、やや長く形成したことにより、底板（４）が内側面の溝（Ｘ）にきっちりと隙間なく嵌まる等の極めて有益なる効果を奏する。
【考案を実施するための最良の形態】
【００１０】
以下、この考案の好適な実施の形態について、図１、図２、そして図３に基づいて詳細に説明すると、素材を折り畳み、側面（２）とツバ（３）とを一体に形成した矩形状の容器本体（１）において、  該ツバ（３）上に載置する底板（４）を設けるに当たり、内側側面（２）の下端部（α）とツバ（３）との間に、矩形の底板（４）を嵌着させる溝（Ｘ）を形成したことを特徴とする食品用容器から構成される。
【００１１】
尚、底板（４）が、一実施例としては、長辺が１６９ｍｍ、短辺が１１４ｍｍの矩形であるとすると、図４に示すように、その長辺及び短辺において、それぞれ、やや膨出した形状〔長辺は、半径３４６８ｍｍのアール（β）、短辺は、半径１３８７ｍｍのアール（β′）〕程度に形成するものである。
【００１２】
尚、図５において、食品用容器の展開図を示すと、（Ａ），（Ｂ）は、谷折り線、（Ｃ）は、山折り線であり、（５）は、隣接する側面（２）に接着する舌辺であり、（６）は、隣接するツバ（３）に接着する余辺である。
【００１３】
そして、食品用容器は、図示はしないが、当然、蓋があってもよく、素材である板材は、板紙を含む紙製、Ｇ、Ｆ、Ｅタイプのダンボール等の紙製であり、ダンボール原紙を利用することにより、加熱容器、保温、冷却容器としても利用できる。
【産業上の利用可能性】
【００１４】
この考案の食品用容器の技術を確立し、この食品用容器を製造、販売することにより、産業上利用できるものである。
【図面の簡単な説明】
【００１５】
【図１】この考案の一実施例を示す斜視図である。
【図２】この考案の一実施例を示す一部欠截拡大斜視図である。
【図３】この考案の一実施例を示す一部欠截拡大斜視図である。
【図４】この考案に使用する底板の一実施例を示す平面図である。
【図５】この考案の一実施例を示す展開図である。
【符号の説明】
【００１６】
１  容器本体
２  側面
３  ツバ
４  底板
５  舌辺
６  余辺
α  内側側面の下端部
β  膨出部
β′膨出部
Ｘ  溝
【図１】
0003137420.tif 000003
【図２】
0003137420.tif 000004
【図３】
0003137420.tif 000005
【図４】
0003137420.tif 000006
【図５】
0003137420.tif 000007
(57)【要約】      （修正有）【課題】夜中でも見やすく、かつ、地震発生等の緊急避難時において、避難者等を的確に緊急避難場所へと案内することができる住居表示板を提供する。【解決手段】基板１１上に蓄光板１２と文字形成板１３と透明保護板１４を順に積層させて住居表示板１を形成する。さらに、透明保護板１４の表面に避難経路表示部４を設ける。文字形成板１３と基板１１の間に蓄光板１２を設けることにより、夜間においても文字形成板１３に形成された文字及び避難経路表示部４を見やすくすることができる。【選択図】図２
0003137480.tif 000002
【実用新案登録請求の範囲】
【請求項１】
街中に設置される住居表示板であって、基板上に蓄光板と文字形成板と透明保護板を順に積層して成ることを特徴とする住居表示板。
【請求項２】
前記住居表示板の表面に避難経路表示部を備えたことを特徴とする請求項１記載の住居表示板。
【考案の詳細な説明】
【技術分野】
【０００１】
本考案は、街中に設置される住居表示板に関するものである。
【背景技術】
【０００２】
街中において、当地を表示する手段として住居表示板が従来から用いられている。住居表示板は、この住居表示板が設置された場所を通行人等に表示するものであり、それを見た者は自分が現在どこにいるのかを知ることができる。また、この住居表示板を利用することにより、郵便物や宅配便等を配達しやすくすることができる。
【考案の開示】
【考案が解決しようとする課題】
【０００３】
しかしながら、従来の住居表示板はアルミニウム等の素材から成っているため、夜間は見えづらいものであった。特に近年においては、地震等の天災が頻繁に生じ社会問題となっている。このような天災が夜間に発生した場合、街中において避難場所へと案内する目印がなく不便である。
【０００４】
そこで本考案は、夜間でも見やすく、かつ、地震発生等の緊急避難時において、避難者等を的確に緊急避難場所へと案内することができる住居表示板を提供することを目的とする。
【課題を解決するための手段】
【０００５】
請求項１記載の住居表示板は、基板上に蓄光板と文字形成板と透明保護板を順に積層して成るものである。
【０００６】
請求項２記載の住居表示板は、請求項１記載の住居表示板であって、前記住居表示板の表面に避難経路表示部を備えた。
【考案の効果】
【０００７】
本考案によれば、住居表示板中に蓄光板を備えることにより、夜間でも見やすい住居表示板を実現することができる。また、住居表示板中に避難経路を示す避難経路表示部を設けることにより、住居表示板を緊急時の避難者等の避難経路案内板として兼用することができる。
【考案を実施するための最良の形態】
【０００８】
図１は本考案の実施の形態における住居表示板の正面図、図２は本考案の実施の形態における住居表示板の断面図である。
【０００９】
図１において、住居表示板１は、この住居表示板１の設置した場所（地図上の位置）を示す第１の住居表示部２と、この場所をローマ字で表記した第２の住居表示部３と、避難経路を示す避難経路表示部４から成っている。なお、第２の住居表示部３は必ずしも必要なものではなく、また、この第２の住居表示部３は、韓国語、中国語等のローマ字以外の外国語で表記したものでもよい。
【００１０】
図１において、第１の住居表示部２と第２の住居表示部３との間には避難経路を示す矢印形の避難経路表示部４が設けられている。本実施の形態において、避難経路の文字は矢印形の枠内に表記している。なお、この避難経路表示部４は、必ずしも第１の住居表示部２と第２の住居表示部３の間に設けなければならないわけではなく、その設置位置は任意である。
【００１１】
次に、図２を参照して住居表示板１の断面構造を説明する。住居表示板１は、基板１１上に蓄光板１２と文字形成板１３と透明保護板１４を順に積層して成っている。さらに、透明保護板１４の表面には避難経路表示部４が接合するなどして設けられている。
【００１２】
透明保護板１４はラミネートフィルム等の素材から成っており、文字形成板１３や蓄光板１２を保護するために設けられている。蓄光板１２は街灯、車のライト等が発する光や月光等を蓄積して発光する。このように、文字形成板１３と基板１１の間に蓄光板１２を設けることにより、夜間においても文字形成板１３に形成された文字及び避難経路表示部４を見やすくすることができる。また、街灯、車のライト等が発する光や月光等を蓄積して発光するので、電源は必要がなく経済的である。
【産業上の利用可能性】
【００１３】
以上説明したように本考案によれば、住居表示板中に蓄光板を備えることにより、夜間でも見やすい住居表示板を実現することができる。また、住居表示板中に避難経路を示す避難経路表示部を設けることにより、住居表示板を緊急時の避難者等の避難経路案内板として兼用することができる。
【図面の簡単な説明】
【００１４】
【図１】本考案の実施形態における住居表示板の正面図
【図２】本考案の実施形態における住居表示板の断面図
【符号の説明】
【００１５】
１  住居表示板
２  第１の住居表示部
３  第２の住居表示部
４  避難経路表示部
１１  基板
１２  蓄光板
１３  文字形成板
１４  透明保護板
【図１】
0003137480.tif 000003
【図２】
0003137480.tif 000004
(57)【要約】      （修正有）【課題】発動機の復刻版としての模型に適応する構造が簡単で低速発動機に適している箱型マグネトーを提供する。【解決手段】小型かつ低速回転の発動機用点火装置であって、複数の乾電池からなる電源と、これに接続されるエンジンの回転に同期して断続を交互に行う切替スイッチ、コンデンサ経由して巻線された一次コイルと、これに続く二次コイルとからなるコイルとからなり、二次コイルにプラグ（点火栓）を接続した構成を有する。 【選択図】図１
0003137457.tif 000002
【実用新案登録請求の範囲】
【請求項１】
小型かつ低速回転の発動機用点火装置であって、複数の乾電池からなる電源と、これに接続されるエンジンの回転に同期して断続を交互に行う切替スイッチ、コンデンサ経由して巻線された一次コイルと、これに続く二次コイルとからなるコイルとからなり、前記二次コイルにプラグ（点火栓）を接続したことを特徴とする小型低速発動機用点火装置。
【考案の詳細な説明】
【技術分野】
【０００１】
本考案は、小型低速発動機用点火装置、詳しくは、水冷式の発動機の復刻版に使用する点火装置（マグネトー）に関するものである。
【背景技術】
【０００２】
近年において、発動機の原理的な仕組み、構造を理解し、習得する為に、発動機の復刻版としての模型、即ち、発動機をミニチュア化し、実働可能にしたエンジン模型が要求されている。このエンジン模型を製造するに際して問題となるのは、エンジン模型における点火装置、所謂、マグネトーである。
【０００３】
従来、発動機に使用されていたマグネトーには大略して3種類の型式が存在する。その一つは、磁鋼回転型マグネトーであり、その二つには、フライホイール型マグネトーであり、さらに、その三には箱型マグネトーである。
【０００４】
復刻の対象となる1925(大正14)〜1952(昭和27)年ごろまで稼動しているエンジンは、比較的に低速回転であることから、前述するその三に記載する箱型マグネトーが使用され、この箱型マグネトーには高圧マグネトーと低圧マグネトーの２種類が存在するが、主として機能面から前者のものが多く採用されるところある。
【０００５】
箱型マグネトーの構造は、上部に永久磁石を置きN-Sの両端に二脚の成層された鉄心を有し、この二脚の鉄心にそれぞれコイルを巻装し、二脚の下部に上部から永久磁石に吸引されている発電子(鉄心)を急に引き離すことによって、一次電流が誘導されさらに二次コイル側に高圧の二次電流を得、この高圧電流を高圧コードを介してプラグに通電し、発火させる。
【０００６】
ところで、前述するごとく発動機の復刻版としての模型、即ち、ミニチュア発動機を製造するに当たり、マグネトーとして発動機と同様に、必要な発火能力を具備する復刻版としての高圧箱型マグネトーを採用すると、ミニチュア発動機に対して高圧マグネトーのサイズが大きくなり、ミニチュア発動機に搭載することが不可能なものとなる。
【非特許文献１】農耕用石油発動機讀本  ページ６５から６６まで
【考案の開示】
【考案が解決しようとする課題】
【０００７】
前述の点に鑑み本考案は、発動機の復刻版としての模型に適応する構造が簡単で低速発動機に適している箱型マグネトーを提供することを目的とするものである。
【課題を解決するための手段】
【０００８】
前述の課題を解決するための本考案にかかる小型低速発動機用点火装置の構成は、小型かつ低速回転の発動機用点火装置であって、複数の乾電池からなる電源と、これに接続されるエンジンの回転に同期して断続を交互に行う切替スイッチ、コンデンサ経由して巻線された一次コイルと、これに続く二次コイルとからなるコイルとからなり、前記二次コイルにプラグ（点火栓）を接続した点に存するものである。
【考案の効果】
【０００９】
本考案にかかる小型低速発動機用点火装置によれば、電源として乾電池を利用することによって、従来のマグネトーのように２個のコイルを必要としないことから、コイル構造が簡単なものとなり、復刻版のミニチュア発動機全体に対して搭載することを可能とし、全体として小型化することが可能となる。
【実施例】
【００１０】
以下、本考案にかかる小型低速発動機用点火装置について説明するに、１は電源で、本考案においては１．５Ｖの単３乾電池を４本具備してなり、メインのスイッチ２を介し、さらにタイミングスイッチ３、コンデンサ４を介してコイル５に接続される。
【００１１】
前記タイミングスイッチ３は、その図示を省略したが、発動機におけるロッカーアームを揺動させるプッシュロッドに接続され、発動機の点火タイミングに同調させてスイッチングを行わせる。
【００１２】
コイル５は、鉄心６に線径０．８ｍｍのエナメル線を一次コイル７として鉄心６の下端から上端にかけて巻回され、上端部において折り返され、線径０．０６ｍｍのエナメル線の２次コイル８を一次コイル７の上に巻回して構成され、２次コイル８は高圧コード９を介して点火プラグ１０に接続されている。
【００１３】
コイル５の構成として、一次コイル７の外周部に二次コイル８を巻回して一体的に構成することによって、マグネトー全体をコンパクトに構成することが可能となる。
【００１４】
以上の構成を有する本考案にかかる点火装置においてスイッチ２をＯＮにして点火装置全体を待機状態となし、ミニチュア発動機（図示を省略した。）のフライホイール(はずみ車)をハンドルにて回して始動する。
【００１５】
発動機の回転に伴い発動機のプッシュロッドのカム（図示を省略した。）に連結されたタイミングスイッチ３がＯＮ−ＯＦＦを繰り返すこととなり、言い換えれば、発動機のサイクル、即ち、爆発のタイミングに併せてスイッチのＯＮ−ＯＦＦが繰り返されることとなる。
【００１６】
タイミングスイッチ３がＯＮ状態とされたとき、電源１から電流が一時コイル７に流れて一時電流が誘導され、さらに、一時コイル７の外周部に巻回された２次コイル８に誘導された高圧の二次電流が高圧コード９を経て点火プラグ１０へ供給され、圧縮された燃料に点火する。以下、同様の作動が繰り返されることとなる。
【図面の簡単な説明】
【００１７】
【図１】本考案にかかる小型低速発動機用点火装置の概略構成を示す説明図である。
【符号の説明】
【００１８】
１：電源
２：スイッチ
３：タイミングスイッチ
４：コンデンサ
６：鉄心
７：一次コイル
８：二次コイル
９：高圧コード
１０：点火プラグ
【図１】
0003137457.tif 000003